(57)【特許請求の範囲】
【請求項１】
紙幣搬出入部を備えた紙幣収納庫と、前記紙幣搬出入部から前記紙幣収納庫内に長手方向に沿って搬送されてきた紙幣を上下方向へ積載すると共に、上向きに弾性付勢された昇降自在なバックアッププレートと、該バックアッププレート上に昇降して該バックアッププレート上の積載紙幣の幅方向両端部側の上面を夫々押さえる一対の押し込み部材と、該一対の押し込み部材間の開口内を相対的に昇降し、該開口内を相対的に下降する時に該一対の押し込み部材上の紙幣をバックアッププレート上に移載する紙幣収納ガイド部材と、前記バックアッププレートの上方に配置され、前記開口を介して前記積載紙幣上面と接して搬出方向へ回転することにより該紙幣を前記紙幣搬出入部へ移行させる繰出しローラと、を備え、
前記繰出しローラの回転軸は、前記２つの押し込み部材の昇降経路に干渉しない構成を備えており、
前記２つの押込み部材の遊端状の後部の少なくとも一部は、前記押し込み部材上の紙幣の後端部と前記紙幣収納庫の内壁との間の隙間内に位置していることを特徴とする還流式紙幣収納装置。
【請求項２】
前記押し込み部材の後部を、前記紙幣収納庫の内壁を越えて更に後方へ位置させたことを特徴とする請求項１に記載の還流式紙幣収納装置。
【請求項３】
前記紙幣収納庫の内壁には前記押し込み部材の後部を嵌合させた状態で昇降させるスリットが形成されていることを特徴とする請求項１又は２に記載の還流式紙幣収納装置。
【請求項４】
前記紙幣収納ガイド部材は、入金方向後部を揺動軸によって上下方向へ揺動自在に軸支されており、
前記紙幣収納ガイド部材の揺動軸は、前記一対の押込み部材が上昇した時に該押込み部材の後部と干渉しない位置に配置されていることを特徴とする請求項１乃至３の何れか一項に記載の還流式紙幣収納装置。
【請求項５】
前記繰出しローラを軸支して上下方向へ揺動自在に支持するブラケットを備え、該ブラケットはその入金方向後端寄りに設けた揺動軸によって上下動自在に軸支されており、
前記ブラケットの揺動軸は前記２つの押込み部材が上昇した時に該各押込み部材の後部と干渉しない位置に配置されていることを特徴とする請求項１乃至４の何れか一項に記載の還流式紙幣収納装置。
【請求項６】
前記紙幣搬出入部には、紙幣を搬出入する上側搬送ローラと下側搬送ローラが配置され、
前記紙幣収納ガイド部材の揺動軸と、前記ブラケットの揺動軸は、前記上側搬送ローラの回転軸と共用されていることを特徴とする請求項５に記載の還流式紙幣収納装置。
【請求項７】
請求項１乃至６の何れか一項に記載の還流式紙幣収納装置を備えたことを特徴とする紙幣取扱装置。
【発明の詳細な説明】
【技術分野】
【０００１】
本発明は、紙幣を収納したり釣銭として払出す入出金機能を備えた還流式紙幣収納装置、及び紙幣取扱装置の改良に関する。
【背景技術】
【０００２】
投入された紙幣を受け入れる入金機能や、入金された紙幣を釣り銭や払出し金として払い出す出金機能を備えた還流式紙幣収納装置は、各種自動販売機、入出金装置、両替機等の紙幣取扱装置に装備されており、この還流式紙幣収納装置としては始業時に準備した紙幣、或いは稼働中に投入された紙幣を金種別に収納しておき、必要に応じて釣銭として払い出すように構成されたものが知られている（特許文献１）。
特許文献１の紙幣還流装置は、紙幣を積載するバックアッププレートと、バックアッププレート上を上下動してバックアッププレート上に移載した紙幣を押さえる二本の押し込み部材と、各押し込み部材上に進入してきた紙幣（入金紙幣）をバックアッププレート側へ移載する紙幣収納ガイド部材と、バックアッププレート上の既堆積紙幣束の最上紙幣と接して回転することによりこれを出金方向へ取り出す繰出しローラとの協働によって、紙幣を入金させたり出金させるようにした紙幣還流装置において、押し込み部材の入金方向後端部の位置を繰出しローラの回転軸を越えて出金方向へ延在させた構成とすることにより、バックアッププレート上の紙幣束後端部の浮き上がりを防止することを可能としている。
繰出しローラは、２つの押し込み部材間の開口を介してバックアッププレート上の積載紙幣と接してこれを出金方向へ繰出す手段であり、出金時には各押し込み部材は繰出しローラの回転軸を越えて上方に退避する必要がある。このため、特許文献１では繰出しローラの回転軸両端部を天板等に設けた支持部材によって両持ち状態で支持することにより、繰出しローラ軸と押し込み部材の後部との干渉を回避している。
【０００３】
次に図６はスイーパを備えた紙幣還流装置の不具合を説明する略図である。
紙幣還流装置２００は、紙幣収納部２０１と、紙幣収納部と搬送経路との間で紙幣を双方向へ移動させる正逆転可能な給紙ローラ群２５０と、給紙ローラ群を駆動するモータ、ギヤ群等の図示しない駆動機構と、図示しない制御手段と、を備える。
紙幣収納部２０１は、上面に入金紙幣Ｐを積載し、且つ上下動可能なバックアッププレート２０２と、バックアッププレート２０２上に入金されてきた入金紙幣Ｐ１を押し込むために上下動可能であり、且つ紙幣通過用の開口を有した押し込み部材２１０と、バックアッププレート２０２の上方に位置し押し込み部材２１０の上下動に際して紙幣通過用の開口内を相対的に進退すると共に紙幣の搬送をガイドする紙幣収納ガイド部材２２０と、バックアッププレートを上昇方向へ付勢する弾性部材２２５と、を備える。
給紙ローラ群２５０は、バックアッププレート２０２上の紙幣上面に接して出金方向へ回転することにより最上部の紙幣を出金する繰出しローラ２５１と、分離ローラ対（フリクションローラ２５２ａ、ストップローラ２５２ｂ）等を備える。
【０００４】
なお、繰出しローラ２５１の回転軸２５１ａと、紙幣収納ガイド部材２２０を上下方向へ揺動させる揺動軸とは共通している。
下側のストップローラ２５２ｂの回転軸には弾性材料（ゴム）から成る薄板状の羽根２５３ａを中心部から放射状に突出させたスイーパ２５３が固定されている。スイーパの羽根は、フリクションローラ２５２ａ、及びストップローラ２５２ｂと干渉しない軸方向両端部等に配置されており、羽根先端部によって紙幣収納部内の紙幣後端部の浮き上がりを押さえ込むように構成されている。
【０００５】
図６に示した入金待機ポジションでは、押し込み部材２１０が下降してバックアッププレート２０２上の紙幣束Ｐの最上面に接してこれを押し下げることにより、押し込み部材上に入金紙幣Ｐ１の収容空間を形成する。この状態で繰出しローラ２５１とフリクションローラ２５２ａを矢印で示した入金方向へ回転させることにより上記収容空間内に入金紙幣Ｐ１を収容する。続いて押し込み部材２１０だけを上昇させることにより、入金紙幣Ｐ１は押し込み部材に設けた紙幣通過用の開口内を相対的に通過してバックアッププレート上に積載した紙幣束Ｐ上に移載される。
図６に示した入金待機ポジションから図示しない出金時ポジションに移行させる場合には、押し込み部材２１０を入金待機ポジションよりも更に上昇位置に移動させることによりバックアッププレート上の紙幣束Ｐの最上面を繰出しローラ２５１と接触させる。この状態で繰出しローラ２５１及びフリクションローラ２５２ａを繰出し方向へ回転させることにより最上部の紙幣が紙幣収納部２０１から外部に繰り出される。
【０００６】
図６に示した入金待機時に反時計回り方向へ回転する過程で個々の羽根２５３ａの先端部を紙幣収納部２０１内に突出させることにより、バックアッププレートと押し込み部材２１０との間に挟まれた紙幣束Ｐ中の折れ癖、膨らみ癖等を有した紙幣の後端部を押さえ込む。バックアッププレート上の紙幣の後端部が浮き上がっている場合には、後続の入金紙幣と衝突して進入を妨げたり、ジャムを起こす虞があるため、スイーパの羽根２５３ａによって既積載紙幣の後端部を押さえ込むことによって、分離ローラ対２５２ａ、２５２ｂによって後続紙幣を紙幣押え部材上の収容空間内にスムーズに進入させることが可能となる。
【０００７】
しかし、押し込み部材２１０上の入金紙幣Ｐ１の後端を羽根が叩き続ける際に最上部紙幣Ｐ１−１と羽根との接触面で強い摩擦力が発生して最上部紙幣だけが全体としてスイーパ側へスライドし、その後端部が下方へ湾曲（屈曲）する。湾曲した最上部紙幣の後端部は下方に位置する入金紙幣Ｐ１の後端部と紙幣収納部内壁２３０との隙間Ｓ１に落ち込んで収納不良状態を引き起こす。押し込み部材上で収納不良状態が発生するとバックアッププレート上への移載不良や、バックアップ上での積載不良が発生する。バックアッププレート上で積載紙幣後端部が隙間に落ち込んだ状態の積載不良が発生すると、出金時に繰出しローラによって正常に繰出すことが困難となる。特に、隙間Ｓ１内に落ち込んだ入金紙幣後端部が押し込み部材の後端部２１０Ａを越えて下方に落ち込むと、積載不良状態が更に深刻化する。
特に、スイーパは分離ローラ２５２ｂと一体回転するため、分離ローラの回転速度が速い場合にはスイーパの回転速度も速くなり、引込み力（摩擦力）が増大して収納不良が発生するリスクが増大する。
【０００８】
次に、図７は管理者等による不正行為によってバックアッププレート上の紙幣が抜き取られる状態を示す説明図である。押込み部材の後端２１０Ａと紙幣収納部内壁２３０との間に隙間Ｓ２があるため、この隙間Ｓ２を経由して粘着材を付着させた薄いプラスチック板等（不正具）２４０を図示のように上方から紙幣収納部内に差し込んでバックアッププレート上の紙幣を吸着してから引き出すことによって紙幣を抜き取ることが可能となる。このような不正行為は、上記隙間Ｓの存在が主な原因となっている。
給紙ローラ群２５０の直近に紙幣取扱装置の入金口が配置されている場合には上記の如き不正が実施されやすくなる。
【０００９】
また近年では、還流式紙幣収納装置２００をカセット化して金庫として活用し、カセットの状態で現金管理、運搬する要求が強くなっているため、紙幣収納部２０１の入出金口から内部の紙幣への不正なアプローチが更に容易となっている。
このような不正を防止する為に入出金口へシャッタを設置する等した場合は、機構部品の増大により構造の複雑化やコストアップ、さらに軽量化を求められるカセットが重量化する嫌いがある。
【００１０】
特許文献１には、押し込み部材の後部位置を繰出しローラの回転軸を越えて出金方向へ延在させた構成とすることにより、バックアッププレート上の紙幣束後端部の浮き上がりを防止するようにした構成が開示されている。しかし、押込み部材の後端部は押し込み部材上の入金紙幣の後端部の手前で終端しているに過ぎず、図６、図７に示した問題点を完全に解決することはできない。
即ち、押込み部材の後端部は押込み部材上の積載紙幣の後端縁と紙幣収納部内壁との隙間Ｓ１を埋めていないため、スイーパによって後方へ引き出された最上部紙幣の後端部がこの隙間から下方に落ち込むことを防止できなかった。
【００１１】
また、同様の理由からバックアッププレート上の既積載紙幣を上記の隙間Ｓ２を経由して不正に紙幣収納部外へ抜き取ることが可能となっていた。
また、特許文献１では、紙幣収納部の上部に位置する支持部材によって支持された軸受金具によって繰出しローラの回転軸の両端部を回転自在に軸支しているが、部品点数が増大するだけでなく、既存の装置構成を大きく改造する必要があるため、この点の改良が求められていた。
【先行技術文献】
【特許文献】
【００１２】
【特許文献１】特開２０１３−２０６３４４公報
【発明の概要】
【発明が解決しようとする課題】
【００１３】
このように従来の還流式紙幣収納装置にあっては、バックアッププレート上の既積載紙幣の幅方向両端上面を押さえ込む一対の押し込み部材の後端を押し込み部材上の紙幣（バックアッププレート上の紙幣）の後端を越えて後方へ突出させていなかったために、押込み部材上の紙幣の後端縁（バックアッププレートの後端縁）と紙幣収納庫内壁との間に隙間が形成されていた。
そのため、押込み部材上の最上部の入金紙幣がスイーパによって後方へ引き出されてその後端部が下方の入金紙幣後端と紙幣収納庫内壁との間の隙間Ｓ１に落ち込むという収納不良（繰出し不良をもたらす）が発生し易かった。
また、前記隙間Ｓ２が存在するため、紙幣搬出入部から差し込んだ不正具をバックアッププレート上の積載紙幣にアプローチさせることが可能となり、不正に紙幣を抜き取る行為が可能であった。
【００１４】
本発明は上記に鑑みてなされたものであり、バックアッププレートと、バックアッププレート上を上下動する押し込み部材と、前記紙幣搬出入部から入金されてきた紙幣を上面にて受けると共に、押し込み部材の上昇時に押し込み部材上の入金紙幣をバックアッププレート上に移載する紙幣収納ガイド部材と、バックアッププレート上の紙幣束の最上紙幣と接して回転することによりこれを出金方向へ取り出す繰出しローラと、の協働によって、入出金させるようにした還流式紙幣収納装置において、押し込み部材の後部（後端部）を押し込み部材上の入金紙幣の後端と紙幣収納庫内壁との間の隙間Ｓ１、或いはバックアッププレート上の積載紙幣の後端と紙幣収納庫内壁との間の隙間Ｓ２に突出（位置）させることにより、隙間内への紙幣後端部の落ち込みと、隙間を利用した紙幣の不正な抜取りを防止することができる還流式紙幣収納装置、及び紙幣取扱装置を提供することを目的としている。
【課題を解決するための手段】
【００１５】
上記目的を達成するため、本発明は、紙幣搬出入部を備えた紙幣収納庫と、前記紙幣搬出入部から前記紙幣収納庫内に長手方向に沿って搬送されてきた紙幣を上下方向へ積層（積載）すると共に、上向きに弾性付勢された昇降自在なバックアッププレートと、該バックアッププレート上に昇降して該バックアッププレート上の積載紙幣の幅方向両端部側の上面を夫々押さえる一対の押し込み部材と、該一対の押し込み部材間の開口内を相対的に昇降し、該開口内を相対的に下降する時に該一対の押し込み部材上の紙幣をバックアッププレート上に移載する紙幣収納ガイド部材と、前記バックアッププレートの上方に配置され、前記開口を介して前記積載紙幣上面と接して搬出方向へ回転することにより該紙幣を前記紙幣搬出入部へ移行させる繰出しローラと、を備え、前記繰出しローラの回転軸は、前記２つの押し込み部材の昇降経路に干渉しない構成を備えており、前記２つの押込み部材の遊端状の後部の少なくとも一部は、前記押し込み部材上の紙幣の後端部と前記紙幣収納庫の内壁との間の隙間内に位置していることを特徴とする。
【発明の効果】
【００１６】
本発明によれば、バックアッププレートと、バックアッププレート上を上下動する押し込み部材と、押し込み部材の上昇時に押し込み部材上の入金紙幣をバックアッププレート上に移載する紙幣収納ガイド部材と、バックアッププレート上の紙幣束の最上紙幣と接して回転することによりこれを出金方向へ取り出す繰出しローラとの協働によって、紙幣を入出金させるようにした還流式紙幣収納装置において、押し込み部材の後部位置を押し込み部材上の入金紙幣、又はバックアッププレート上の積載紙幣の後端縁を越えて出金方向へ延在させて紙幣収納庫内壁との間に形成されていた隙間Ｓ１、Ｓ２の少なくとも一部を塞ぐようにした。このため、スイーパによる叩き動作によって入金紙幣の後端部が隙間内に落ち込んで収納不良となったり、隙間を経由して不正具を挿入して積載紙幣を抜き取るといった不正行為を防止することができる。
【図面の簡単な説明】
【００１７】
【図１】（ａ）及び（ｂ）は本発明の一実施形態に係わる還流式紙幣収納装置の要部の構成を示す斜視図、及び平面図である。
【図２】（ａ）及び（ｂ）は還流式紙幣収納装置の入金待機ポジションと出金ポジションを示す正面図である。
【図３】懸架構造を示す部分断面図である。
【図４】入金紙幣の後部が隙間に引き込まれることが防止されている状態を示す略図である。
【図５】不正行為を阻止する原理の説明図である。
【図６】スイーパを備えた紙幣還流装置の不具合を説明する略図である。
【図７】管理者等による不正行為によってバックアッププレート上の紙幣が抜き取られる状態を示す説明図である。
【発明を実施するための形態】
【００１８】
以下、図示した実施の形態例に基づいて本発明を詳細に説明する。
＜基本的構成、及び特徴的構成＞
図１（ａ）及び（ｂ）は本発明の一実施形態に係わる還流式紙幣収納装置の要部の構成を示す斜視図、及び平面図であり、図２（ａ）及び（ｂ）は還流式紙幣収納装置の入金待機ポジションと出金ポジションを示す正面図であり、図３は懸架構造を示す部分断面図である。また、図４は入金紙幣の後部が隙間に引き込まれることが防止されている状態を示す略図であり、図５は不正行為を阻止する原理の説明図である。
なお、本明細書において入金方向前方とは図１（ｂ）、図２（ａ）（ｂ）における左方向であり、入金方向後方とは同図における右方向である。
【００１９】
還流式紙幣収納装置１は、投入された紙幣を受け入れる入金機能や、収納されている紙幣を釣り銭や払出し金として払い出す出金機能を備えており、各種自動販売機、入出金装置、両替機等の紙幣取扱装置に装備される。
還流式紙幣収納装置１は、紙幣取扱装置に設けた図示しない紙幣入金部から投入された紙幣を収納方向と出金方向の双方向へ搬送可能な搬送経路と連通し、該搬送経路を搬送されてきた紙幣を収納（入金）したり該搬送経路へ繰出す手段である。本装置において、紙幣は、長手方向一端縁を先頭として長手方向に沿って搬送される。
還流式紙幣収納装置１は、搬送されてきた紙幣を上下方向へ積層した状態で収納する紙幣収納部２と、紙幣収納部と搬送経路との間で紙幣を出金方向、及び入金方向へ双方向移動させる給紙ローラ群５０と、スイーパ５５と、紙幣収納部２を内部に有した紙幣収納庫７０と、給紙ローラ群５０、その他の可動部を駆動するモータ、ギヤ群等の図示しない駆動機構と、駆動機構を制御する制御手段と、を備える。
還流式紙幣収納装置１をカセット形式として紙幣取扱装置に対して着脱自在に構成する場合には、駆動機構の一部、或いは全部は紙幣取扱装置側に配備される。
【００２０】
還流式紙幣収納装置１は、紙幣搬出入部７２を備えた紙幣収納庫７０と、紙幣搬出入部７２から紙幣収納庫内に長手方向に沿って搬送されてきた紙幣Ｐを上下方向へ積層（積載）すると共に、上向きに弾性付勢されたバックアッププレート３と、バックアッププレート上に昇降して積載紙幣Ｐの幅方向両端部側の上面を夫々押さえる一対の押し込み部材１０と、一対の押し込み部材間の開口１１内を相対的に昇降し、該開口内を相対的に下降する時に一対の押し込み部材１０上の入金紙幣Ｐ１をバックアッププレート上に移載する紙幣収納ガイド部材２０と、バックアッププレートの上方に紙幣収納ガイド部材と干渉しないように配置され、開口１１を介して積載紙幣上面と接して搬出方向へ回転することにより該紙幣を紙幣搬出入部へ移行させる繰出しローラ５１と、を備える。
更に、２つの押込み部材１０の遊端状の後部（後端部）１０ａの少なくとも一部は、押し込み部材上の入金紙幣Ｐ１の後端部と紙幣収納庫内壁７４との間の隙間Ｓ（Ｓ１）内に突出（位置）している。
なお、ここで隙間Ｓとは、押し込み部材上の入金紙幣Ｐ１の後端部と紙幣収納庫内壁７４との間の隙間（図６の隙間Ｓ１）を指す場合と、バックアッププレート後端部（バックアッププレート上の積載紙幣Ｐの後端部）と紙幣収納庫内壁７４との間の隙間（図７の隙間Ｓ２）を指す場合がある。つまり、本発明では押し込み部材の後部は、図６の隙間Ｓ１と図７の隙間Ｓ２との境界線に沿って突出している。
【００２１】
紙幣収納ガイド部材２０は、入金方向後端（後部）を揺動軸２０Ａによって上下方向へ揺動自在に軸支されており、紙幣収納ガイド部材２０の揺動軸２０Ａは一対の押込み部材１０が上昇した時に押込み部材の後部１０ａと干渉しない位置に配置されている。
本例では、揺動軸２０Ａは、繰出しローラ５１のブラケット６０の側面から突出した状態で固定されており、この揺動軸２０Ａによって紙幣収納ガイド部材２０は上下方向へ揺動自在に軸支されている。
紙幣収納庫内に位置する紙幣収納部２には、上面に入金紙幣を積載し、且つ上下動可能なバックアッププレート３と、バックアッププレートを上方に付勢する弾性部材４と、バックアッププレート上において一体的に上下動可能であり、且つ紙幣通過用の開口１１を介して並行に対向配置された一対の押し込み部材１０と、バックアッププレート３の上方に位置し各押し込み部材１０の上下動に際して紙幣通過用の開口１１内を相対的に進退すると共に下面にて紙幣の上面に接してその搬送をガイドする紙幣収納ガイド部材２０が配置されている。
【００２２】
各押し込み部材１０は、開口１１を間に挟んで水平な位置関係で一体的に構成されており、入金方向前部（図面左方）が連結され、かつその後部（入金方向後端部）１０ａは遊端状となっている。各押し込み部材の後部１０ａは押し込み部材上の入金紙幣Ｐ１（バックアッププレート上の積載紙幣Ｐ）の後端部を越えて後方へ突出し、入金紙幣後端部と紙幣収納庫７０の内壁（入金方向後部内壁）７４との間に形成される隙間Ｓ１の下部を部分的に塞ぐように構成されている。つまり、押し込み部材の後部１０ａは、隙間Ｓ１内に突出（位置）して紙幣端部が隙間内に進入したり、隙間内を通過することを阻止している（図４、図５）。更に、押し込み部材上に複数枚の入金紙幣が積載されている時に、スイーパの作用により最上部の入金紙幣の後端部がそれより下方の入金紙幣束の後部から下方に垂れ下がったとしても（図６）、押し込み部材の後端部を越えて更に下方に垂れ下がることがないので、その後のバックアッププレート上への移載作業が不良となることもない。
各押し込み部材１０は、入金待機ポジションでは入金されてくる入金紙幣をその上面に保持する一方で、バックアッププレート上に相対的に下降した時には積載紙幣上面に圧接してこれを押さえる手段である。
各押し込み部材１０は、モータ、プーリ、ベルト等からなる昇降機構により一体的に昇降駆動される。
【００２３】
給紙ローラ群５０は、紙幣収納庫７０に設けた紙幣搬出入部７２に臨接して配置されている。
給紙ローラ群５０の上流側には、紙幣収納部２から紙幣を出金する際に出金を完了したか否かを検知する通紙センサ３０が配置されており、通紙センサ３０からの検知信号に基づいて制御手段が所定のタイミングで給紙ローラ群５０、バックアッププレート３、押し込み部材１０等を駆動する。
【００２４】
本実施形態では、各押し込み部材１０を下面が平坦な細幅帯状の部材（棒状部材）から構成し、これらを所定の間隔（開口１１）を隔てて並行に対向配置させている。各押し込み部材１０の遊端状の後部（後端部）１０ａは、紙幣収納庫７０の対応する内壁（側壁）７４に設けた縦長のスリット（嵌合穴）７４ａ内に夫々入り込むことによって、押し込み部材上の紙幣後端部（バックアッププレート上の積載紙幣後端縁）と紙幣収納庫内壁７４との間の隙間Ｓを押し込み部材後部１０ａによって部分的に塞ぐように構成されている。
なお、本例では、押し込み部材後部１０ａから更に小幅部分１０ａ’を突出し、この小幅部分をスリット７４ａ内に差し込んで上下方向にガイドされるようにしているが、小幅部分は必須ではなく後部１０ａを紙幣収納庫内壁を越えて後方へ突出させて昇降自在に構成されていればよい。
【００２５】
各押し込み部材の後部１０ａを、紙幣収納庫内壁のスリット７４ａ内に嵌合する程度に延長したことによって各押し込み部材１０が図２（ｂ）の出金ポジションまで上昇した時にその後部１０ａと干渉する虞が発生する繰出しローラ５１の駆動軸と、紙幣収納ガイド部材２０の揺動軸（回動軸）２０Ａを、各押し込み部材１０と干渉しないようにしている。
なお、押し込み部材の後部１０ａは必ずしも紙幣収納庫内壁７４に設けたスリット７４ａ内に嵌合させる程度に延長することが望ましいが、内壁７４の面と接触状態（摺接状態）、或いは非接触状態で近接することにより、隙間Ｓの上部に突出（オーバーハング）するように構成してもよい。要するに後部１０ａは、入金紙幣後端縁の隙間内への進入と、不正行為時における紙幣の隙間を経由した抜取りを阻止できる程度に突出していればよい。
【００２６】
給紙ローラ群５０は、バックアッププレート３が図２（ｂ）の出金ポジションに上昇している時に開口１１を介してバックアッププレート３上の積載紙幣Ｐ上面に接して出金方向へ回転することにより最上部の紙幣を出金する正逆転可能な繰出しローラ５１と、分離ローラ対５２と、を備える。分離ローラ対５２は、正逆回転する上側のフリクションローラ（上側搬送ローラ）５３と、下側のストップローラ（重送防止ローラ）５４、とを備える。ストップローラ５４は、紙幣の繰出し時には停止しているか、或いは戻し方向に低速で回転している。
フリクションローラ（上側搬送ローラ）５３とストップローラ（重送防止ローラ）５４は夫々の回転軸を、例えば図示しない側板、或いは天板等に設けた軸受部により軸支され、図示しないモータからの駆動力によって回転駆動される。
【００２７】
ストップローラ５４の回転軸５４ａ上のストップローラと干渉しない位置には、スイーパ５５が固定されている。スイーパ５５は、回転軸５４ａに固定される中心部材５６と、中心部材５６から放射状に突設された薄板状の弾性羽根５７と、を備えている。
スイーパ５５は、図２（ａ）に示した入金待機時に反時計回り方向へ回転する過程で個々の弾性羽根５７を順次紙幣収納部２内に突出させることにより、押し込み部材上に収納された紙幣の後端部を下向きに叩いて整形し、押し込み部材上の折れ癖、膨らみ癖等を有した紙幣の後端部を押さえ込む。押し込み部材上の入金紙幣の後端部が浮き上がっている場合には、後続の入金紙幣と衝突して進入を妨げたり、ジャムを起こす虞があるため、スイーパの弾性羽根によって既入金紙幣の後端部を押さえ込むことによって、分離ローラ対５２によって後続紙幣を紙幣押え部材上の収容空間内にスムーズに進入させることが可能となる。
【００２８】
繰出しローラ５１は、図１、図２、図３に示すように、上側のフリクションローラ（上側搬送ローラ）５３の回転軸５３ａにより揺動自在に一端（入金方向後端部）を軸支されたブラケット６０の他端（入金方向先端部）寄りにおいて回転軸５１ａによって回転自在に軸支されている。つまり、繰出しローラ５１は回転軸５３ａを揺動軸６０Ａとして上下動するブラケット６０によって軸支されており、バックアッププレート３が出金ポジションに上昇している時にバックアッププレート上の紙幣上面の適所と接することができるように構成されている。この構成によれば、紙幣収納部内を昇降移動する押し込み部材１０の後部１０ａが繰出しローラ５１の揺動軸６０Ａと干渉する余地がなくなる。
繰出しローラ５１は、図示しないモータからの駆動力をブラケット６０等によって支持された図示しないプーリやタイミングベルト等を介して伝達することにより回転駆動される。
【００２９】
なお、紙幣収納ガイド部材２０は、給紙ローラ群５０寄りの端部（入金側後端部）を上側のフリクションローラ（上側搬送ローラ）５３の回転軸５３ａにより軸支されて上下方向へ揺動自在に構成してもよい。つまり、紙幣収納ガイド部材２０は回転軸５３ａを揺動軸２０Ａとして上下動可能に構成してもよい。この場合には、紙幣収納部内を昇降移動する押し込み部材１０の後部１０ａが紙幣収納ガイド部材２０の揺動軸２０Ａと干渉する余地がなくなる。
このように紙幣収納ガイド２０の揺動軸２０Ａと、ブラケット６０の揺動軸６０Ａを、上側のフリクションローラ５３の回転軸５３ａと共用してもよい。ここで「共用」とは、各揺動軸２０Ａ、６０Ａの軸芯が上側のフリクションローラ５３の回転軸５３ａの軸芯と一致していることを意味する。
【００３０】
本発明の特徴的な構成は、少なくとも押し込み部材１０の入金側後部１０ａを押し込み部材上の紙幣（又は、バックアッププレート上の積載紙幣）の後端縁を越えて紙幣収納庫の内壁７４に達する（又は、近接する）ように延長した構成と、押し込み部材の延長した後端部の昇降経路と干渉する虞のある部材である紙幣収納ガイド部材の揺動軸２０Ａと、繰出しローラ５１の駆動軸５１ａを該昇降経路外へ退避させるようにした点にある。
本例では、紙幣収納ガイド部材２０の揺動軸２０Ａをブラケット６０の側面によって支持することにより紙幣収納ガイド部材２０をブラケット６０に対して揺動自在に支持した構成例を示したが、これは一例であり、各揺動軸を押し込み部材１０の延長された後部１０ａと干渉しない位置に設けた構成であれば上側のフリクションローラ５３の回転軸５３ａを揺動軸として共用させなくてもよい。例えば、本装置の図示しない天板、側板、その他の部材によって各揺動軸を支持するようにしてもよい。
【００３１】
上述のように揺動軸６０Ａが、上側のフリクションローラ５３（上側搬送ローラ）の回転軸５３ａと共用されている構成であってもよい。
なお、繰出しローラ５１の回転軸５１ａを紙幣収納ガイド２０によって軸支したり、特許文献１に示したように天板等に設けた軸受金具等によって支持することによって回転軸５１ａと押し込み部材後部とが干渉しないように構成した場合には、紙幣収納ガイド部材２０の揺動軸２０Ａのみを押し込み部材後部１０ａの昇降経路外へ退避させた構成とすればよい。
【００３２】
＜入金動作＞
制御手段は、図示しない昇降機構を駆動することにより、押し込み部材１０を最下降位置に保持した図示しない収納ポジションと、該収納ポジションよりも上方の入金待機ポジション（図２（ａ））と、入金待機ポジションよりも上方の出金ポジション（図２（ｂ））と、出金ポジションよりも更に上方の図示しない最上点ポジションとの間で昇降させ、且つ各ポジションにて停止させることにより、紙幣の入金（収納）、及び収納されていた紙幣の出金を夫々行う。
図２（ａ）に示した入金待機ポジションでは、一対の押し込み部材１０が下降してバックアッププレート３上の紙幣束Ｐの最上面に接してこれを押し下げることにより、押し込み部材上に入金紙幣Ｐ１の収容空間を形成する。この状態でフリクションローラ５３を矢印で示した入金方向へ回転させることにより収容空間内に入金紙幣Ｐ１を順次収容する。続いて押し込み部材１０を上昇させることにより、バックアッププレート３が弾性部材４の付勢力によって上昇し、入金紙幣の中央部上面が紙幣収納ガイド部材２０により押さえられた状態となり、入金紙幣Ｐ１は押し込み部材に設けた紙幣通過用の開口１１内を相対的に通過してバックアッププレート上に積載した紙幣束Ｐ上に移載される。各押し込み部材１０が、再び下降することにより入金紙幣の両端部上面を既積載紙幣Ｐ上に押さえ込む。
【００３３】
＜出金動作＞
図２（ｂ）に示した出金ポジションでは、押し込み部材１０を繰出しローラ５１の最下部（積載紙幣上面との接触位置）より上方に位置させた時に、バックアッププレート上の紙幣束Ｐの最上面の紙幣が適切な圧力で繰出しローラ５１と接するように弾性部材４の付勢力が設定されている。更に、バックアッププレート３上の積載紙幣枚数が減少するのに応じて弾性部材によってバックアッププレートが押し上げられ分離圧力を調整する。この状態で繰出しローラ５１及びフリクションローラ５３を矢印で示した繰出し方向へ回転させることにより最上部の紙幣が紙幣収納部２から外部に繰り出される。この際、重送防止手段としてのストップローラ５４は回転を停止するか、或いは矢印で示した戻し方向へ回転することにより、重送されてきた紙幣のうちの下側紙幣を紙幣収納部２側に戻す。
【００３４】
＜特徴的な作用、効果＞
本発明では、押し込み部材１０の後部（後端部）１０ａが、押し込み部材上の入金紙幣の後端部（或いは、バックアッププレート上の積載紙幣の後端部、又はバックアッププレート後端部）を越えて紙幣収納庫の内壁７４に向けて突出することにより入金紙幣Ｐ１の後端部と紙幣収納庫内壁との間の隙間Ｓ１の下部、及びバックアッププレート上の積載紙幣Ｐ１と紙幣収納庫内壁との間の隙間Ｓ２の上部を夫々塞いでいる。しかも押し込み部材の後部１０ａの昇降経路（特に上昇経路）内に干渉する部材が存在しないように構成した。このため、押し込み部材の後部は入金紙幣束の後端部を越える長さを有している。
本発明では、一対の押し込み部材の後部（後端部）を繰出しローラの回転軸を越えて夫々長尺化すると共に、繰出しローラを支持するブラケット６０の揺動軸６０Ａと、紙幣収納ガイド部材２０の揺動軸２０Ａが各押し込み部材の昇降経路に干渉しない構成としたため、繰出しローラ（回転軸）、及びバックアッププレートの後端部を越えて２つの押し込み部材の後部を出金方向（入金方向後方）へ延長形成することが可能となる。
押し込み部材１０上の入金紙幣Ｐ１の後部と紙幣収納庫内壁７４との間の隙間Ｓ１の下部が押し込み部材後部１０ａによって塞がれているため、図４に示すように、スイーパによって最上部の入金紙幣Ｐ１が後方へ位置ずれしたとしてもその後端部が隙間Ｓ１内に入り込んで積載不良をもたらす虞がなくなる。特に、入金紙幣後端部は押し込み部材後端部を越えて下方へずれ込むことができないので積載不良状態を最小限に留めることが可能となる。
【００３５】
また、図５に示すようにバックアッププレート上の既積載紙幣Ｐの後部と紙幣搬出入部７２とを結ぶ経路となる隙間Ｓが押し込み部材後部によって塞がれているため、不正行為によって既積載紙幣を抜き取ることも不可能となる。
なお、紙幣搬出入部から隙間Ｓ２を経由して不正具を差し込んでバックアッププレート上の積載紙幣を抜き取る不正行為を完全に防止するためには、押し込み部材の後部により隙間Ｓ２を部分的に塞ぐだけではなく、各種動作を終了した時点で各構成要素を図２（ａ）に示した入金待機ポジションに移行させて、非動作時には入金待機ポジションを保持しておくことが望ましい。即ち、押し込み部材が紙幣の入出金経路（紙幣搬出入部７２）の高さ位置を越えて上方に位置している時には、押し込み部材後部による不正防止効果を発揮することができないからである。
これによって、シャッタ等の不正防止機構が必要なく、部品の増大やコストアップ、重量化されることなく、簡易に不正が防止できる。
【００３６】
＜発明の構成、作用、効果のまとめ＞
第１の本発明に係る還流式紙幣収納装置は、紙幣搬出入部７２を備えた紙幣収納庫７０と、紙幣搬出入部から紙幣収納庫内に長手方向に沿って搬送されてきた紙幣を上下方向へ積載（積層）すると共に、上向きに弾性付勢された昇降自在なバックアッププレート３と、バックアッププレート上に昇降して該バックアッププレート上の積載紙幣Ｐの幅方向両端部側の上面を夫々押さえる一対の押し込み部材１０と、該一対の押し込み部材間の開口１１内を相対的に昇降し、該開口内を相対的に下降する時に該一対の押し込み部材上の紙幣をバックアッププレート３上に移載する紙幣収納ガイド部材２０と、バックアッププレートの上方に配置され、開口１１を介して積載紙幣上面と接して出金方向へ回転することにより該紙幣を紙幣搬出入部７２へ移行させる繰出しローラ５１と、を備える。
更に、繰出しローラの回転軸５１ａは、２つの押し込み部材の昇降経路に干渉しない構成を備えており、２つの押込み部材の遊端状の後部１０ａの少なくとも一部は、押し込み部材上の紙幣Ｐ１の後端部（バックアッププレート上の紙幣の後端部）と紙幣収納庫内壁（収納庫側壁）７４との間の隙間Ｓ１内（隙間Ｓ１の下部）に突出（位置）していることを特徴とする。
【００３７】
バックアッププレート３はその後端縁を紙幣収納庫７０の内壁７４に沿って昇降させているため、バックアッププレート上の積載紙幣Ｐの後端縁と内壁７４との間には隙間Ｓ１が形成される。同様に押し込み部材上の入金紙幣の後端縁と内壁７４との間にも隙間Ｓ２が形成される。このため、スイーパによって押し込み部材上の紙幣の後端が叩かれた時に当該紙幣の後端が下方に湾曲して隙間Ｓ１に入り込み易くなり、入り込むとバックアッププレート上への移載不良や積載不良の原因となる。また、隙間Ｓ１、Ｓ２はバックアッププレート上の積載紙幣と紙幣収納庫の紙幣搬出入部７２とを連通させるため、外部から不正具を差し込んで紙幣を抜き取ることが可能となる。
【００３８】
上記不具合を解決するためには、押し込み部材１０の後部を延長して隙間の一部、又は全部を塞ぐことが効果的である（図４）。なお、押込み部材の後部１０ａの少なくとも一部が隙間Ｓ内に突出（位置）している、とは、後端部（後端縁）が隙間内に位置している場合と、後端部は隙間よりも外側の紙幣収納庫内壁（側壁）を越えた位置にあるが後端部以外の後部が隙間内に位置している場合を含む。
還流式紙幣収納装置がカセットタイプである場合には紙幣取扱装置に対して着脱自在な構成となる。その場合には管理者等が還流式紙幣収納装置を紙幣取扱装置から取り外して運搬したり、保管することになるが、紙幣搬出入部の直近の内部に紙幣が収容されているため、不正具を用いた紙幣の抜取りが容易となる。
本発明によれば、押し込み部材によって隙間Ｓを塞ぐ構成としたため、管理者による不正行為をも確実に防止することが可能となる（図５）。
【００３９】
第２の本発明に係る還流式紙幣収納装置は、押し込み部材の後部１０ａを、紙幣収納庫内壁７４を越えて更に後方へ突出させたことを特徴とする。
押し込み部材の後部（後端部）１０ａは、押し込み部材上の入金紙幣の後端部を越えて隙間Ｓ（Ｓ１、Ｓ２）内に突出することにより、入金紙幣の後端部が隙間内に入り込んだり、バックアッププレート上の紙幣を不正に隙間を経由して抜き取る行為を防止できるが、その突出長としては種々のパターンが想定できる。押し込み部材の後部（後端部）１０ａを紙幣収納庫内壁を越えて後方へ突出させれば上記の不具合を確実に防止できる（図４）。
【００４０】
第３の本発明に係る還流式紙幣収納装置は、紙幣収納庫内壁には押し込み部材の後部（後端部）を嵌合させた状態で昇降させるスリットが形成されていることを特徴とする。
押し込み部材の後部１０ａを紙幣収納庫内壁を越えて後方へ突出させる手法の一つとしては、紙幣収納庫内壁に後部１０ａを嵌合させて上下方向への移動をガイドするスリットを設けることができる。
【００４１】
第４の本発明に係る還流式紙幣収納装置は、繰出しローラ５１を軸支して上下方向へ揺動自在に支持するブラケット６０を備え、該ブラケットはその入金方向後端寄りに設けた揺動軸６０Ａによって上下動自在に軸支されており、ブラケットの揺動軸は２つの押込み部材が上昇した時に該各押込み部材の後端部と干渉しない位置に配置されていることを特徴とする。
繰出しローラ５１の回転軸５１ａを紙幣収納庫の両側壁によって軸支する、或いは片持ち支持する構造を採用すると、回転軸５１ａが軸方向に突出して押し込み部材の昇降経路に干渉するため、ブラケット６０によって繰出しローラの短尺な回転軸の両端部を軸支しつつ、ブラケットの入金方向後端部を揺動軸６０Ａによって軸支する。更に、この揺動軸６０Ａが押し込み部材の後部１０ａと干渉する虞がある場合には、ブラケットの揺動軸を２つの押込み部材が上昇した時に該各押込み部材の後端部と干渉しない位置に配置する。
【００４２】
第５の本発明に係る還流式紙幣収納装置は、紙幣収納ガイド部材２０は、入金方向後端（入金方向後部）を揺動軸２０Ａによって上下方向へ揺動自在に軸支されており、紙幣収納ガイド部材の揺動軸は、一対の押込み部材が上昇した時に該押込み部材の後部１０ａと干渉しない位置に配置されていることを特徴とする。
従来の紙幣収納ガイド部材２０の揺動軸２０Ａは繰出しローラの揺動軸（６０Ａ）とは異なった位置に配置されており、揺動軸２０Ａと押し込み部材後部１０ａとの干渉を防止するためには押し込み部材の後部を短くする必要があった。しかし、従来は押し込み部材の後部が隙間Ｓに達しない程度に短いために上記の不具合が発生していた。そこで本発明では、紙幣収納ガイド部材の揺動軸２０Ａを押し込み部材の後部の昇降経路外に配置した。
即ち、押し込み部材は、最下位置から最上位置までの広い範囲を昇降移動するために、押し込み部材の上昇時に延長した後端部が紙幣収納ガイド部材２０の揺動軸２０Ａと干渉する虞がある。
繰出しローラの揺動軸６０Ａを押し込み部材後部１０ａの昇降経路から退避させただけでは紙幣収納ガイド部材の揺動軸２０Ａが後部１０ａと干渉する問題が残る場合には、繰出しローラの揺動軸６０Ａをも後部１０ａの昇降経路から退避させる。
【００４３】
本発明では、押し込み部材の後部の昇降経路内に位置すると昇降の妨げとなる揺動軸２０Ａを昇降経路外に配置することによって、押し込み部材の後部を延長形成して隙間Ｓ内に突出させて、隙間を少なくとも部分的に塞ぐことを可能とした。ここで隙間を塞ぐとは、積載紙幣の幅寸法内において押し込み部材後部を隙間側に突出させることにより、押し込み部材上の紙幣後端が下方へ湾曲して隙間内に入り込むことを防止したり、バックアッププレート上の紙幣が隙間を介して上方へ引き抜かれることを防止する構成を意味する。つまり、隙間を塞ぐとは、必ずしも隙間の開口面積全体を封鎖することではなく、実施形態に示したように細幅の押し込み部材が隙間の開口面積内に突出して紙幣端部の進入、紙幣の通過を阻止する構成を意味する。
揺動軸２０Ａを退避させる位置は、押し込み部材後部の昇降経路よりも入金方向後方であればどのような位置であっても良い。
繰出しローラ５１の回転軸、或いは揺動軸が押し込み部材後部の昇降経路から更に後方へ退避した位置にある場合には、紙幣収納ガイド部材の揺動軸対策のみをとればよい。即ち、本発明のように紙幣収納ガイド部材の揺動軸を押し込み部材後部の昇降経路から退避させた構成とすればよい。
【００４４】
第６の本発明に係る還流式紙幣収納装置では、紙幣搬出入部７２には、紙幣をニップして搬出入する上側搬送ローラ５３と下側搬送ローラ５４が配置され、紙幣収納ガイドの揺動軸２０Ａと、ブラケットの揺動軸６０Ａは、上側搬送ローラの回転軸５３ａと共用されていることを特徴とする。
押し込み部材の後部１０ａの昇降経路、特に上昇した位置の外側には上側搬送ローラ５３の回転軸５３ａが位置している。本発明ではこの回転軸５３ａを各揺動軸２０Ａ、６０Ａとして兼用するものである。既存の回転軸５３ａを利用することにより新たな部材を付加する必要がなくなり、構成をシンプル化し、既存の装置に後付けで改造することが可能となる。
紙幣収納ガイド部材、及び繰出しローラの揺動軸を上側搬送ローラの回転軸と共用しているため、部品点数の増大を防ぐことができ、且つ既存の装置に対して後付け等により改造することができるので製造手数、コストを低減することができる。
【００４５】
第７の本発明に係る紙幣取扱装置によれば、請求項１乃至６の何れか一項に記載の還流式紙幣収納装置を備えたことを特徴とする。
本発明に係る還流式紙幣収納装置は、各種自動販売機、入出金装置、両替機等の各種の紙幣取扱装置に適用することができる。
【符号の説明】
【００４６】
１…還流式紙幣収納装置、２…紙幣収納部、３…バックアッププレート、４…弾性部材、１０…押し込み部材、１０ａ…後部（入金側後部）、１１…開口、２０…紙幣収納ガイド部材、２０Ａ…揺動軸、３０…通紙センサ、５０…給紙ローラ群、５１…繰出しローラ、５１ａ…回転軸、５２…分離ローラ対、５３…上側搬送ローラ（フリクションローラ）、５３ａ…回動軸、５４…下側搬送ローラ（ストップローラ）、５４ａ…回転軸、５５…スイーパ、５６…中心部材、５７…弾性羽根、６０…ブラケット、６０Ａ…揺動軸、７０…紙幣収納庫、７２…紙幣搬出入部、７４…紙幣収納庫内壁、７４ａ…スリット
【図１】
0006678853.tif 000002
【図２】
0006678853.tif 000003
【図３】
0006678853.tif 000004
【図４】
0006678853.tif 000005
【図５】
0006678853.tif 000006
【図６】
0006678853.tif 000007
【図７】
0006678853.tif 000008